(57)【要約】【課題】胴部八か所の連接部位での折りズレがサイド貼り時の貼りズレに影響し難くするとともに、八か所の連接部位の少なくとも一部分で一時的に直角の折り曲げを行なって胴部周り全体での折りに抗する反発を少なくして歪みの発生を少なくして、適正に８角形状とされた胴部を有する包装用箱を得る。【解決手段】サイド貼りした胴部Ａは胴部断面が八角形状となる前に胴部断面が長方形状に形成されていて、この胴部Ａにおける未折曲の面板間の部分を外方に折り出して、胴部断面を八角形状にする。【選択図】図６
2013052899.tif 000002
【特許請求の範囲】
【請求項１】
ブランクが、胴部周り方向に沿って４面の側面板と４面の傾斜側面板とが１面ずつ交互に並んで連接した８面の面板とこの８面の面板の連接方向端部に位置する糊代とからなる胴部形成部と、前記面板の面板連接方向に直交する方向で対向する辺の内の一方の辺に連接されたフラップからなる底部形成部と前記面板の他方の辺に連接されたフラップからなる天部形成部とを備えてなり、胴部形成部における前記糊代とこの糊代とは反対側の対応部とを貼り合わせるサイド貼りが行なわれ、このサイド貼りをしてなる胴部の前記面板の間の部分それぞれが外方に凸にして折り出されていて、胴部の断面が八角形状とされている包装用箱を製造するに当たり、
前記サイド貼りした胴部は胴部断面が八角形状となる前に胴部断面が長方形状に形成されていて、この胴部における未折曲の面板間の部分を外方に折り出して、胴部断面を八角形状にすることを特徴とする包装用箱の製造方法。
【請求項２】
サイド貼りした上記胴部は胴部断面が長方形状となる前にサイド貼りした状態で扁平に形成されていて、この扁平な胴部を胴部断面が長方形状となるように組み起こして胴部断面を長方形状とした胴部を形成する請求項１に記載の包装用箱の製造方法。
【請求項３】
胴部断面が長方形状となるように上記胴部形成部を折曲しサイド貼りを行なって胴部断面を長方形状とした胴部を形成する請求項１に記載の包装用箱の製造方法。
【発明の詳細な説明】
【技術分野】
【０００１】
本発明は内部に物品を収める包装用箱であって、胴部の断面形状が八角形状の包装用箱の製造方法に関するものである。
【背景技術】
【０００２】
従来から胴部の断面が八角形状となっている段ボール製の包装用箱が流通していて、この包装用箱には例えば特許文献１に示されているように段ボール製の一枚のブランクから製函されているものがある。この特許文献１で示されている包装用箱を得るためのブランクは、胴部周り方向に沿って４面の側面板と４面の傾斜側面板とが１面ずつ交互に並んで連接した８面の面板とこの８面の面板の連接方向端部に位置する糊代とからなる胴部形成部と、前記面板それぞれの面板連接方向に直交する方向で対向する辺の内の一方の辺に連接されたフラップからなる底部形成部と前記面板それぞれの他方の辺に連接されたフラップからなる天部形成部とを備えている。
【０００３】
そして、製函に際しては、製函機における断面八角形状のマンドレルにブランクの胴部形成部を巻き付けて、胴部断面が八角形状となるように胴部における側面板と傾斜側面板との間の連接部位を折り出し、また、この巻き付ける時点で胴部形成部における糊代とこの糊代とは反対側の対応部とを貼り合わせるサイド貼りを行なっている。さらにこの公報掲載の技術では、胴部断面を八角形状とした後にマンドレルに胴部が巻き付いている状態のまま一方の端部、例えば天部形成部の各フラップの折り倒しと貼り合わせをして天部閉鎖を行なって、他方の端部が開放された箱を形成している。この後に物品を充填してから残りの端部における各フラップの折り倒しと貼り付けをして底部閉鎖を行なっていた。
【先行技術文献】
【特許文献】
【０００４】
【特許文献１】特許第３３０４９９１号公報
【発明の概要】
【発明が解決しようとする課題】
【０００５】
しかしながら、ブランクの胴部形成部をブランクに巻き付けることで八か所の折り出しを行なって胴部断面が八角形状の胴部を得るようにする方法では、胴部での側面板と傾斜側面板との間となる八か所の連接部位を折り出す際にそれぞれの位置で折りズレが生じる可能性があり、その生じた折りズレがそのまま合算されてサイド貼りの貼りズレを生じさせてしまい、成形ズレの大きな胴部が形成されるという問題がある。また、マンドレルがあるため、胴部での側面板と傾斜側面板との間となる連接部位は直角に至らない鈍角の折り曲げ角度であってマンドレルによる折り出し角度以上の角度には折ることができず、折曲した連接部位に反発が残って胴部全体に歪みが生じる。そして、この歪みを持って製函することで、箱に設計した強度を得ることができないという問題もあった。
【０００６】
そこで、本発明は上記事情に鑑み、胴部八か所の上記連接部位での折りズレが上記サイド貼り時の貼りに影響し難くするとともに、八か所の連接部位の少なくとも一部分で一時的に鋭角（直角を含む）な折り曲げを行なって胴部周り全体での折りに抗する反発を少なくして歪みの発生を少なくすることを課題とし、適正に八角形状とされた胴部を有する包装用箱を得ることを目的とするものである。
【課題を解決するための手段】
【０００７】
本発明は上記課題を考慮してなされたもので、ブランクが、胴部周り方向に沿って４面の側面板と４面の傾斜側面板とが１面ずつ交互に並んで連接した８面の面板とこの８面の面板の連接方向端部に位置する糊代とからなる胴部形成部と、前記面板の面板連接方向に直交する方向で対向する辺の内の一方の辺に連接されたフラップからなる底部形成部と前記面板の他方の辺に連接されたフラップからなる天部形成部とを備えてなり、胴部形成部における前記糊代とこの糊代とは反対側の対応部とを貼り合わせるサイド貼りが行なわれ、このサイド貼りをしてなる胴部の前記面板の間の部分それぞれが外方に凸にして折り出されていて、胴部の断面が八角形状とされている包装用箱を製造するに当たり、
前記サイド貼りした胴部は胴部断面が八角形状となる前に胴部断面が長方形状に形成されていて、この胴部における未折曲の面板間の部分を外方に折り出して、胴部断面を八角形状にすることを特徴とする包装用箱の製造方法を提供して、上記課題を解消するものである。
【０００８】
そして、上記発明において、サイド貼りした上記胴部は胴部断面が長方形状となる前にサイド貼りした状態で扁平に形成されていて、この扁平な胴部を胴部断面が長方形状となるように組み起こして胴部断面を長方形状とした胴部を形成することが可能である。
【０００９】
また、上記発明において、胴部断面が長方形状となるように上記胴部形成部を折曲しサイド貼りを行なって胴部断面を長方形状とした胴部を形成することが可能である。
【発明の効果】
【００１０】
請求項１の発明によれば、サイド貼りがなされていて胴部断面を長方形状とした胴部を形成した後に、胴部断面を八角形状にして胴部を形成しており、八角形状とするための未折曲の部分を折り曲げる際に仮に折りズレが生じたとしても、既にサイド貼りが終了しているため貼りズレが生じない。
【００１１】
また、胴部断面が長方形状となっているときには四か所の折曲部分は直角に折り曲げられた状態であって、この後、直角に折り曲げられていた折曲部分を鈍角に広げて胴部断面を八角形状になるようにしており、直角の折れを鈍角に広げて折りに対する反発が既に弱まっている折曲部分と平板状態から鈍角に折り曲げる折曲部分とが交互に並ぶため、胴部周り全体での折りに対する反発が小さい。このように胴部周り全体での折りに対する反発が小さくなっていることと、先にサイド貼りが完了していることとが相俟って、胴部全体に歪みが生じ難く、適正な形状の胴部が得られる。
【００１２】
請求項２の発明によれば、胴部断面が長方形状とされている通常の包装用の紙箱などと同様に、胴部を組み起こす前の時点で胴部断面が長方形状の胴部における対角位置となる二か所を１８０度に折り曲げてサイド貼りすることで、胴部を扁平とした扁平なスリーブが得られる。このように胴部形成部での二か所を折り曲げるため、折りズレがサイド貼りの際の貼りズレに大きく影響はしない。また、胴部断面を長方形状の胴部とする前に扁平なスリーブが得られる形態であるため、この扁平なスリーブを、例えば起函・充填・端部閉鎖を順を追って連続的に行なう製造ラインとは別ラインにて事前に製造しておくことができる。よって、製函の全工程を、扁平なスリーブを製造するまでの段階と、そのスリーブを起こしてから製品完成までの段階とに分けて別々に工程管理することができる。
【００１３】
請求項３の発明によれば、胴部断面が長方形状となるように胴部形成部を折り曲げてサイド貼りするため、仮に折りズレが生じたとしても多くとも四か所の折りズレにとどまることとなり、その折りズレが合算されても大きな貼りズレを生じさせることがない。その結果、胴部断面を八角形状とした適正な胴部が得られることとなる。
【図面の簡単な説明】
【００１４】
【図１】本発明に係る製造方法によりなる包装用箱の一例を示す説明図である。
【図２】包装用箱を得るためのブランクを示す説明図である。
【図３】天部の係止凸部と底部の係止凹部との対応を示す説明図である。
【図４】製造方法の第一の例を示す説明図である。
【図５】製造方法の第二の例を示す説明図である。
【図６】胴部断面を長方形状から八角形状にする状態を示す説明図である
【発明を実施するための形態】
【００１５】
つぎに本発明を図１から図６に示す実施の形態に基づいて詳細に説明する。
（ブランク）
図中１は胴部断面が八角形状となっている包装用箱で、該包装用箱１は一枚の段ボール製のブランクから製函されたものである。前記ブランク２は図２に示すように胴部形成部３と天部形成部４と底部形成部５とを備えている。なお、図２では箱内面側となる面を見た状態となるようにブランク２が図示されている。
【００１６】
胴部形成部３は胴部断面（箱の平断面）がこの包装用箱１の胴部Ａを八角形状にして得るための部分であり、通常の四角形状の箱における胴部をサイド貼りして形成する場合と同様にサイド貼りが行なえるように、８面の面板を一連に連接するとともにその連接方向の端部に糊代６を連接している。前記８面の面板は４面の側面板７、８、９、１０と４面の傾斜側面板１１、１２、１３、１４とであり、胴部周り方向に沿って前記側面板７、８、９、１０と傾斜側面板１１、１２、１３、１４とが１面ずつ交互に並んで折り罫を介して連接され、前記糊代６も連接方向の端部となる側面板１０の側辺に折り罫を介して連接されている。したがって、胴部形成部３では糊代６を含めて９面の面板が連接された状態となっている。
【００１７】
本実施の形態の包装用箱１では箱幅方向の寸法が箱前後方向の寸法より大きいものとなっていて、胴部断面の形状が箱幅方向に長い長方形状の四隅を落とした八角形状となるように、側面板７、９の幅寸法（連接方向）が側面板８、１０の幅寸法より大きくなっており、傾斜側面板１１、１２、１３、１４の幅寸法が側面板８、１０の幅寸法より小さく設けられている。
【００１８】
天部形成部４は八角形状にして閉じられて四隅に平たい係止凸部ｂを配した天部Ｂを得るための部分であって、上記８面の面板７〜１４それぞれの上辺に折り罫を介して連接されたフラップ１５、１６、１７、１８、１９、２０、２１、２２からなるものであり、図示されているように太幅の側面板７、９の上辺には、胴部断面の八角形状に応じた八角形状の半面となる形状としたフラップ１６、２０が連接され、細幅の側面板８、１０の上辺にはこの側面板８、１０と同様の幅とされた略四角形状のフラップ１８、２２が連接され、さらに傾斜側面板１１、１２、１３、１４の上辺に略三角形状としたフラップ１５、１７、１９、２１が連接されている。後述するようにこのフラップ１５、１７、１９、２１により前記係止凸部ｂが形成される（図１参照）。
【００１９】
底部形成部５は八角形状にして閉じられて四隅に平たくして凹んだ係止凹部ｃを配した底部Ｃを得るための部分であって、上記側面板７，８、９、１０それぞれの下辺に折り罫を介して連接されたフラップ２３、２４、２５、２６からなるものである。細幅の側面板８、１０の下辺に連接されたフラップ２４、２６を倒し込んでから太幅の側面板７、９の下辺に連接されているフラップ２３、２５を倒し込んで底部Ｃを閉鎖したときにその底部Ｃの四隅に上記係止凸部ｂに合致した形状でその係止凸部ｂが入り込むことができる前記係止凹部ｃを得るように前記フラップ２３、２４、２５、２６それぞれが形成されている（図３参照）。
【００２０】
図示されている形態では、太幅の側面板７、９に連接の前記フラップ２３、２５が略Ｔ型とされ、細幅の側面板８、１０の下辺に連接されたフラップ２４、２６は、傾斜側面板１１、１２、１３、１４それぞれの下辺と前記フラップ２３、２５それぞれの側辺との間で製函時に形成される開放部分を塞ぎながら容器外に極力張り出ないようにし、さらに板面の取り合いを考慮した形状とされている。
【００２１】
（包装用箱）
製函された包装用箱１が図１に示されている。この包装用箱１の天部Ｂの四隅には、上述したように平たい係止凸部ｂが配置されており、この係止凸部ｂはフラップ１５、１７、１９、２１をフラップ１６、２０に折り重ねて接着することで形成されている。また、上述したように底部Ｃの四隅には、傾斜側面板１１、１２、１３、１４の下辺にフラップ２４、２６の張り出し部分の外辺が重なり、さらにそのフラップ２４、２６にフラップ２３、２５の側方の鉤状部分が重なることで上記係止凹部ｃが形成されている。そして、図３に示すように、複数個の包装用箱１を上下にしながら上位の包装用箱１の底部Ｃ側の係止凹部ｃに下位の包装用箱１の天部Ｂの係止凸部ｂを対応させて重ねることで、上位の係止凹部ｃに下位の係止凸部ｂが入り込むようになり、上位に乗せた包装用箱１が下位の包装用箱１に対して横方向にズレることなく安定して積み重ねることができるように設けられている。
【００２２】
（製造方法：第一例）
包装用箱１を上記ブランク２から製函する製造方法の第一の例が図４、６に概略的に示されている。この第一の製造方法にあってはブランクから扁平なスリーブを形成するスリーブ製造段階と、そのスリーブを組み起こしてから最終形態の箱を得る段階とに分けることができるものであり、ブランクの形態から最終形態の包装用箱とするまでを、一つの製造ライン上で構成する必要は必ずしも必要としない方法である。スリーブ製造段階では、図４の（イ）で示すブランク２の側面板１０を傾斜側面板１４側に折り返して糊代６にホットメルト接着剤を塗布３１するとともに、傾斜側面板１２の側面板８側の側辺でその傾斜側面板１２、側面板７、傾斜側面板１１を折り返して（ロ）、ホットメルト接着剤が塗布された糊代６に傾斜側面板１１を重ね合わせてサイド貼りして扁平な胴部Ａを有する扁平なスリーブ２７を得る（ハ）。
【００２３】
つぎにこの扁平なスリーブ２７を装填した製函・充填ラインにて包装用箱１を組み起こす段階が示されている。まず、扁平なスリーブ２６においてサイド貼りされて扁平となっている胴部Ａを胴部断面が長方形状となるように組み起こす（ニ）。この長方形状とする組み起こしに関しては、側面板１０と傾斜側面板１４との連接部位、及び側面板８と傾斜側面板１２との連接部位が、扁平なスリーブ２６の形態で既に折り曲げられており、組み起こしたときの長方形状のもう一方の対角の位置となる側面板１０とこの面板に胴部周りで連接位置関係になる傾斜側面板１１との連接部位（ブランクの展開形態で示すところの側面板１０と糊代６との連接部位）、及び側面板８と傾斜側面板１３との連接部位を折り曲げる。これら四か所の連接部位、即ち、細幅の側面板８、１０の側辺それぞれを直角に折り曲げるように扁平な胴部Ａを組み起こす。
【００２４】
つぎに胴部Ａの胴部断面が長方形状となった筒状形態のスリーブ２７の開放されている端部側から上下一対の押し金型２８を挿入して胴部Ａの内部に位置させ、未折曲の連接部位がある面側に対応させる。実施の形態では太幅の側面板７、９の両側辺それぞれでの連接部位が未折曲であり、太幅の側面板７，９の内面に押し金型２７が接する（図６イ）。押し金型２８は、太幅の側面板７、９の側辺それぞれの連接部位を所定の角度に折曲させるとともに、直角になっていた連接部位を所定角度となるように開く型形状を有しており、押し金型２８それぞれが上下に離れるように移動して、胴部Ａの胴部断面を、連接部位の折り曲がり角度を同じにした八角形状にする。また、傾斜側面板１１、１２、１３、１４を受ける受け金型２９も胴部Ａの周りに配置されていて、押し金型２８と受け金型２９とで傾斜側面板１１，１２、１３、１４をそれぞれ挟み込み、この傾斜側面板１１，１２、１３、１４の両側となる連接部位にて適正な折曲角度として折り癖が付くように起函する（図６ロ）（ホ）。
【００２５】
つぎに胴部Ａが胴部断面八角形状とされて筒状となっているスリーブの一端側にある上記天部形成部４において、フラップ１８、２２を折り倒し、その後にフラップ１６、２０を折り倒していて、フラップ１８、２２とフラップ１６、２０との重ね合わせの部分で貼り合わせして天部閉鎖となる（ヘ）。フラップ重ね合わせ部分での貼り合わせは、例えばホットメルト接着剤を用いて行なわれており、天部閉鎖の段階で所要個所にその接着剤が塗布されるようにすればよいものであるが、接着剤の塗布の時点は限定されない。天部閉鎖が行なわれて底部側が開放された製函完成前形態として製函された包装用箱１には、つぎに商品の充填が行なわれるが、その前に押し金型と受け金型が退避する。
【００２６】
（ト）で示す商品の充填３０が終了すると底部閉鎖が行なわれるものであって、底部形成部５のフラップ２４、２６を折り倒した後にフラップ２３、２５を折り倒し、フラップ２４、２６とフラップ２３、２５とを重ね合わせている部分を接着剤を介して貼り合わせて、底部閉鎖を行なう（チ）。これによって完成形態で包装用箱１が製函される。なお、天部閉鎖と底部閉鎖の順序は逆であってもよい。
【００２７】
（製造方法：第二例）
包装用箱１の製造方法の第二の例が図５、６に概略的に示されている。この第二の製造方法は、製造ライン上で、シート（ブランク）取り出し、胴部の長方形状の形成、胴部の八角形状の形成、天部閉鎖、商品充填、底部閉鎖を一連にして行なう。まず、図５に示すようにストッカーなどに装填されているブランク２を取り出し（イ）、図において下方から糊代６にホットメルト接着剤を塗布３１する（ロ）。
【００２８】
つぎに側面板８と傾斜側面板１３との連接部位、及び側面板１０と傾斜側面板１４との連接部位を直角に折り曲げ（ハ）、さらに側面板８と傾斜側面板１２との連接部位、及び側面板１０と糊代６との連接部位を直角に折り曲げて、糊代６と傾斜側面板１１とを重ね合わせ、糊代６に塗布されたホットメルト接着剤により糊代６と傾斜側面板１１とを貼り合わせるサイド貼りを行なって（ニ）、胴部断面が長方形状となる胴部を前記サイド貼りにより形成する。これによって胴部の胴部断面が長方形状となっている筒状のスリーブ２７が得られる。
【００２９】
筒状のスリーブ２７に対して上記第一の例と同様に、そのスリーブ２７の胴部Ａの内部に端部側から上下一対の押し金型２８を挿入して胴部Ａの内部に位置させ、未折曲の連接部位がある面側に対応させる。この例においても太幅の側面板７，９の内面に押し金型２８が接する（図６イ）。つぎに押し金型２８それぞれが上下に離れるように移動し、また、傾斜側面板１１、１２、１３、１４を受ける受け金型２９も胴部Ａの周りに配置されていて、押し金型２８と受け金型２９とで傾斜側面板１１，１２、１３、１４をそれぞれ挟み込み、胴部Ａの胴部断面を、連接部位の折り曲がり角度を同じにした八角形状にして、連接部位に適正な折曲角度として折り癖が付くように起函する（ホ）（図６ロ）。
【００３０】
つぎに天部形成部４のフラップを第一の例と同様に折り倒して天部閉鎖を行ない（ヘ）、押し金型２８と受け金型２９とが退避する。押し金型２８と受け金型２９とを退避させてから商品の充填３０を行ない（ト）、商品の充填が終了してから底部形成部５のフラップを第一の例と同様に折り倒して底部閉鎖を行ない（チ）、胴部の胴部断面が八角形状の包装用箱１が完成する。なお、天部閉鎖と底部閉鎖の順序は逆であってもよい。
【００３１】
ブランク２で示されているように太幅の側面板９の両側辺の中段からその側辺に沿って側面板９とフラップ２０との連接部位の両端に達し、そしてそのフラップ２０において天部中心側に傾斜してフラップ端辺に達している対の切り取り線３２が設けられている。さらに前記側面板９の前記切り取り線３２の端部位置それぞれには略コ字状とした切り込み３３が設けられており、製函された包装容器１から収納物を取り出す際に、前記切り込み３３の間を切り込み３２の部分で形成される舌片を摘み持つなどして切り裂くとともに、前記切り取り線３２それぞれを切断しながらフラップ２０の中央部分から側面板９の中段までを取り除くようにする。これによって包装用箱１が開封されて、内部にある商品を取り出すことができるようになる。なお、図４、図５においては図による説明を容易にするために前記切り取り線と切り込みとは図示していない。
【符号の説明】
【００３２】
Ａ…胴部
Ｂ…天部  ｂ…係止凸部
Ｃ…底部  ｃ…係止凹部
１…包装用箱
２…ブランク
３…胴部形成部
４…天部形成部
５…底部形成部
６…糊代
７，８，９，１０…側面板
１１、１２、１３、１４…傾斜側面板
１５〜２６…フラップ
２７…スリーブ
２８…押し金型
２９…受け金型
３１…ホットメルト接着剤の塗布
３２…切り取り線
３３…切り込み
【図１】
2013052899.tif 000003
【図２】
2013052899.tif 000004
【図３】
2013052899.tif 000005
【図４】
2013052899.tif 000006
【図５】
2013052899.tif 000007
【図６】
2013052899.tif 000008